【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
複数台のユーザ端末と、前記ユーザ端末を操作する複数のユーザによる共同の作業を支援する共同作業支援システムと、を有する情報処理システムであって、
前記ユーザ端末は、
前記ユーザの発言データに基づくアクションアイテム候補を、前記共同作業支援システムから受信する受信手段と、
受信した前記アクションアイテム候補を表示部に表示させるとともに、前記アクションアイテム候補からアクションアイテム、前記アクションアイテムを実行する実行者、及び前記アクションアイテムの期限の登録要求を受け付ける画面を前記表示部に表示させる表示制御手段と、
前記アクションアイテム候補からアクションアイテム、前記アクションアイテムを実行する実行者、及び前記アクションアイテムの期限の登録操作を受け付ける受付手段と、
前記登録操作を受け付けた前記アクションアイテム、前記アクションアイテムを実行する実行者、及び前記アクションアイテムの期限の登録要求を、前記アクションアイテムを管理するアクションアイテム管理手段に対して行う要求手段と、
を有し、
前記共同作業支援システムは、
前記アクションアイテム候補を、前記ユーザ端末に送信する送信手段、
を有する情報処理システム。
【請求項２】
複数台のユーザ端末と、前記ユーザ端末を操作する複数のユーザによる共同の作業を支援する共同作業支援システムと、を有する情報処理システムであって、
前記ユーザ端末は、
前記ユーザの発言データに基づくアクションアイテム候補を、前記共同作業支援システムから受信する受信手段と、
受信した前記アクションアイテム候補を表示部に表示させるとともに、前記アクションアイテム候補からアクションアイテム、前記アクションアイテムを実行する実行者、及び前記アクションアイテムの期限の登録要求を受け付ける画面を前記表示部に表示させる表示制御手段と、
前記アクションアイテム候補からアクションアイテム、前記アクションアイテムを実行する実行者、及び前記アクションアイテムの期限の登録操作を受け付ける受付手段と、
前記登録操作を受け付けた前記アクションアイテム、前記アクションアイテムを実行する実行者、及び前記アクションアイテムの期限を、前記共同作業支援システムに送信する送信手段と、
を有し、
前記共同作業支援システムは、
前記アクションアイテム候補を、前記ユーザ端末に送信する送信手段と、
前記ユーザ端末から送信された、前記登録操作を受け付けた前記アクションアイテム、前記アクションアイテムを実行する実行者、及び前記アクションアイテムの期限を受信する受信手段と、
前記受信手段で受信した前記登録操作を受け付けた前記アクションアイテム、前記アクションアイテムを実行する実行者、及び前記アクションアイテムの期限、の登録を要求する登録要求を、前記アクションアイテムを管理するアクションアイテム管理手段に対して行う要求手段と、
を有する情報処理システム。
【請求項３】
前記共同作業支援システムは、更に、
前記ユーザの音声データから変換された音声テキストデータ、又は前記ユーザにより入力された入力テキストデータを含む前記ユーザの発言データに基づく前記アクションアイテム候補を検出する検出手段、
を有すること
を特徴とする請求項１又は２記載の情報処理システム。
【請求項４】
前記検出手段は、前記ユーザの発言データに形態素解析処理を行い、前記アクションアイテムの内容、前記アクションアイテムを実行する実行者、又は前記アクションアイテムの期限を表す可能性のある要素の少なくとも二つの組み合わせが含まれる一文の前記ユーザの発言データを、前記アクションアイテム候補として検出すること
を特徴とする請求項３記載の情報処理システム。
【請求項５】
前記検出手段は、入力された前記ユーザの発言データから、前記アクションアイテム候補を検出するように機械学習された学習済みモデルを用いて、入力された前記ユーザの発言データから、前記アクションアイテム候補を検出し、
前記学習済みモデルは、検出した前記アクションアイテム候補の前記アクションアイテム管理手段へ登録されたか否かの結果、及び検出されなかった前記アクションアイテム候補の前記アクションアイテム管理手段へ登録されたか否かの結果、に基づく機械学習により更新されること
を特徴とする請求項３又は４記載の情報処理システム。
【請求項６】
前記表示制御手段は、データテーブルを参照して、前記登録要求を受け付ける前記アクションアイテム候補の発話者、前記共同の作業を支援するグループに参加した権限上位ユーザ、又は前記グループの主催者を絞り込み、前記アクションアイテム候補の発話者、前記共同の作業を支援するグループに参加した権限上位ユーザ、又は前記グループの主催者からの前記登録要求を受け付ける画面を前記表示部に表示させること
を特徴とする請求項１乃至５の何れか一項に記載の情報処理システム。
【請求項７】
前記表示制御手段は、登録した前記アクションアイテムの完遂又は未完遂の情報を前記アクションアイテム管理手段から受信し、前記アクションアイテム管理手段に登録した前記アクションアイテムの完遂又は非完遂の情報を前記表示部に表示させること
を特徴とする請求項１に記載の情報処理システム。
【請求項８】
前記要求手段は、前記登録要求を、ＡＰＩ（Ａｐｐｌｉｃａｔｉｏｎ  Ｐｒｏｇｒａｍｍｉｎｇ  Ｉｎｔｅｒｆａｃｅ）を用いて前記アクションアイテム管理手段に対して行うこと
を特徴とする請求項２に記載の情報処理システム。
【請求項９】
前記アクションアイテム管理手段は、前記共同作業支援システムとは異なるアクションアイテム管理システムに含まれること
を特徴とする請求項１乃至８の何れか一項に記載の情報処理システム。
【請求項１０】
複数台のユーザ端末と通信可能であり、前記ユーザ端末を操作する複数のユーザによる共同の作業を支援する情報処理装置であって、
前記ユーザの発言データに基づくアクションアイテム候補を表示部に表示させるとともに、前記アクションアイテム候補からアクションアイテム、前記アクションアイテムを実行する実行者、及び前記アクションアイテムの期限の登録操作を受け付ける画面の画像データを作成する作成手段と、
前記画像データを前記ユーザ端末に送信する送信手段と、
前記画面を表示部に表示した前記ユーザ端末において前記アクションアイテム候補から前記登録操作を受け付けた、前記アクションアイテム、前記アクションアイテムを実行する実行者、及び前記アクションアイテムの期限を、前記ユーザ端末から受信する受信手段と、
前記受信手段で受信した前記登録操作を受け付けた前記アクションアイテム、前記アクションアイテムを実行する実行者、及び前記アクションアイテムの期限、の登録を要求する登録要求を、前記アクションアイテムを管理するアクションアイテム管理手段に対して行う要求手段と、
を有する情報処理装置。
【請求項１１】
前記ユーザの音声データから変換された音声テキストデータ、又は前記ユーザにより入力された入力テキストデータを含む前記ユーザの発言データに基づく前記アクションアイテム候補を検出する検出手段、
を更に有すること
を特徴とする請求項１０記載の情報処理装置。
【請求項１２】
前記検出手段は、前記ユーザの発言データに形態素解析処理を行い、前記アクションアイテムの内容、前記アクションアイテムを実行する実行者、又は前記アクションアイテムの期限を表す可能性のある要素の少なくとも二つの組み合わせが含まれる一文の前記ユーザの発言データを、前記アクションアイテム候補として検出すること
を特徴とする請求項１１記載の情報処理装置。
【請求項１３】
前記検出手段は、入力された前記ユーザの発言データから、前記アクションアイテム候補を検出するように機械学習された学習済みモデルを用いて、入力された前記ユーザの発言データから、前記アクションアイテム候補を検出し、
前記学習済みモデルは、検出した前記アクションアイテム候補の前記アクションアイテム管理手段へ登録されたか否かの結果、及び検出されなかった前記アクションアイテム候補の前記アクションアイテム管理手段へ登録されたか否かの結果、に基づく機械学習により更新されること
を特徴とする請求項１１又は１２記載の情報処理装置。
【請求項１４】
前記要求手段は、前記登録要求を、ＡＰＩ（Ａｐｐｌｉｃａｔｉｏｎ  Ｐｒｏｇｒａｍｍｉｎｇ  Ｉｎｔｅｒｆａｃｅ）を用いて前記アクションアイテム管理手段に対して行うこと
を特徴とする請求項１０乃至１３の何れか一項に記載の情報処理装置。
【請求項１５】
前記アクションアイテム管理手段は、前記情報処理装置とは異なる情報処理装置に含まれること
を特徴とする請求項１０乃至１４の何れか一項に記載の情報処理装置。
【請求項１６】
複数台のユーザ端末と通信可能であり、前記ユーザ端末を操作する複数のユーザによる共同の作業を支援する情報処理装置であって、
前記ユーザの発言データに基づくアクションアイテム候補を表示部に表示させるとともに、前記アクションアイテム候補からアクションアイテム、前記アクションアイテムを実行する実行者、及び前記アクションアイテムの期限の登録操作を受け付ける画面の画像データを作成する作成手段と、
前記画像データを前記ユーザ端末に送信する送信手段と、
前記画面を表示部に表示した前記ユーザ端末において前記アクションアイテム候補から前記登録操作を受け付けた、前記アクションアイテム、前記アクションアイテムを実行する実行者、及び前記アクションアイテムの期限を、前記ユーザ端末から受信する受信手段と、
アクションアイテムを管理するアクションアイテム管理手段であって、前記受信手段で受信した前記登録操作を受け付けた前記アクションアイテム、前記アクションアイテムを実行する実行者、及び前記アクションアイテムの期限、をアクションアイテムとして記憶部に記憶するアクションアイテム管理手段と、
を有する情報処理装置。
【請求項１７】
複数のユーザによる共同の作業を支援する共同作業支援システムと通信可能なユーザ端末であって、
前記ユーザの発言データに基づくアクションアイテム候補を、前記共同作業支援システムから受信する受信手段と、
受信した前記アクションアイテム候補を表示部に表示させるとともに、前記アクションアイテム候補からアクションアイテム、前記アクションアイテムを実行する実行者、及び前記アクションアイテムの期限の登録要求を受け付ける画面を前記表示部に表示させる表示制御手段と、
前記アクションアイテム候補からアクションアイテム、前記アクションアイテムを実行する実行者、及び前記アクションアイテムの期限の登録操作を受け付ける受付手段と、
前記登録操作を受け付けた前記アクションアイテム、前記アクションアイテムを実行する実行者、及び前記アクションアイテムの期限の登録要求を、前記アクションアイテムを管理するアクションアイテム管理手段に対して行う要求手段と、
を有するユーザ端末。
【請求項１８】
複数のユーザによる共同の作業を支援する共同作業支援システムと通信可能なユーザ端末であって、
前記ユーザの発言データに基づくアクションアイテム候補を、前記共同作業支援システムから受信する受信手段と、
受信した前記アクションアイテム候補を表示部に表示させるとともに、前記アクションアイテム候補からアクションアイテム、前記アクションアイテムを実行する実行者、及び前記アクションアイテムの期限の登録要求を受け付ける画面を前記表示部に表示させる表示制御手段と、
前記アクションアイテム候補からアクションアイテム、前記アクションアイテムを実行する実行者、及び前記アクションアイテムの期限の登録操作を受け付ける受付手段と、
前記登録操作を受け付けた前記アクションアイテム、前記アクションアイテムを実行する実行者、及び前記アクションアイテムの期限を、前記共同作業支援システムがアクションアイテムを管理するアクションアイテム管理手段に登録するために、前記共同作業支援システムに送信する送信手段と、
を有するユーザ端末。
【請求項１９】
複数のユーザによる共同の作業を支援する共同作業支援システムと通信可能なユーザ端末を、
前記ユーザの発言データに基づくアクションアイテム候補を、前記共同作業支援システムから受信する受信手段、
受信した前記アクションアイテム候補を表示部に表示させるとともに、前記アクションアイテム候補からアクションアイテム、前記アクションアイテムを実行する実行者、及び前記アクションアイテムの期限の登録操作を受け付ける画面を前記表示部に表示させる表示制御手段、
前記アクションアイテム候補からアクションアイテム、前記アクションアイテムを実行する実行者、及び前記アクションアイテムの期限の登録操作を受け付ける受付手段、
前記登録操作を受け付けた前記アクションアイテム、前記アクションアイテムを実行する実行者、及び前記アクションアイテムの期限の登録要求を、前記アクションアイテムを管理するアクションアイテム管理手段に対して行う要求手段、
として機能させるためのプログラム。
【請求項２０】
複数のユーザによる共同の作業を支援する共同作業支援システムと通信可能なユーザ端末を、
前記ユーザの発言データに基づくアクションアイテム候補を、前記共同作業支援システムから受信する受信手段、
受信した前記アクションアイテム候補を表示部に表示させるとともに、前記アクションアイテム候補からアクションアイテム、前記アクションアイテムを実行する実行者、及び前記アクションアイテムの期限の登録要求を受け付ける画面を前記表示部に表示させる表示制御手段、
前記アクションアイテム候補からアクションアイテム、前記アクションアイテムを実行する実行者、及び前記アクションアイテムの期限の登録操作を受け付ける受付手段、
前記登録操作を受け付けた前記アクションアイテム、前記アクションアイテムを実行する実行者、及び前記アクションアイテムの期限を、前記共同作業支援システムがアクションアイテムを管理するアクションアイテム管理手段に登録するために、前記共同作業支援システムに送信する送信手段、
として機能させるためのプログラム。
【請求項２１】
前記表示制御手段は、
前記アクションアイテム候補を表示する一覧表示画面であって、前記アクションアイテム候補の中から登録するアクションアイテムの選択を受け付けるための選択部品を含む前記一覧表示画面を、前記ユーザ端末上に表示させる第１の表示制御手段と、
前記表示部に表示された選択部品の選択に応じて、前記登録するアクションアイテムの設定を受け付ける設定画面を、前記ユーザ端末上に表示させる第２の表示制御手段と、
を有し、
前記受付手段は、前記設定画面を介して前記登録操作を受け付ける
請求項１９又は２０に記載のプログラム。
【請求項２２】
前記アクションアイテム管理手段は、ネットワークを介して接続される情報処理装置に含まれる
請求項１９乃至２１の何れか一項に記載のプログラム。
【手続補正２】
【補正対象書類名】明細書
【補正対象項目名】発明の名称
【補正方法】変更
【補正の内容】
【発明の名称】情報処理システム、情報処理装置、ユーザ端末、及びプログラム
【手続補正３】
【補正対象書類名】明細書
【補正対象項目名】０００１
【補正方法】変更
【補正の内容】
【０００１】
本発明は、情報処理システム、情報処理装置、ユーザ端末、及びプログラムに関する。
【手続補正４】
【補正対象書類名】明細書
【補正対象項目名】０００６
【補正方法】変更
【補正の内容】
【０００６】
上記した課題を達成するために本願請求項１は、複数台のユーザ端末と、前記ユーザ端末を操作する複数のユーザによる共同の作業を支援する共同作業支援システムと、を有する情報処理システムであって、前記ユーザ端末は、前記ユーザの発言データに基づく前記アクションアイテム候補を、前記共同作業支援システムから受信する受信手段と、受信した前記アクションアイテム候補を表示部に表示させるとともに、前記アクションアイテム候補からアクションアイテム、前記アクションアイテムを実行する実行者、及び前記アクションアイテムの期限の登録要求を受け付ける画面を前記表示部に表示させる表示制御手段と、前記アクションアイテム候補からアクションアイテム、前記アクションアイテムを実行する実行者、及び前記アクションアイテムの期限の登録操作を受け付ける受付手段と、前記登録操作を受け付けた前記アクションアイテム、前記アクションアイテムを実行する実行者、及び前記アクションアイテムの期限の登録要求を、前記アクションアイテムを管理するアクションアイテム管理手段に対して行う要求手段と、を有し、前記共同作業支援システムは、前記アクションアイテム候補を、前記ユーザ端末に送信する送信手段、
を有することを特徴とする。